(57)【要約】      （修正有）【課題】ドラムを確実にフレームに支持させ、使用時において巻き取りが不安定にならないホースリールを提供する。【解決手段】ホースが巻き付けられる筒状のドラム２００と、ドラムを回転自在に収容する収容部材と、ドラムに前記収容部材を介して対向し、ドラムの動きを規制する移動規制部３１０とを備えるホースリール１０である。【選択図】図１２
2015168574.tif 000002
【特許請求の範囲】
【請求項１】
ホースが巻き付けられる筒状のドラムと、
前記ドラムを回転自在に収容する収容部材と、
前記ドラムに前記収容部材を介して対向し、前記ドラムの動きを規制する移動規制部と
を備えるホースリール。
【請求項２】
前記ドラムは、少なくとも一端側に鍔部を有し、前記収容部材は、前記鍔部の面積より開口面積の小さい開口部を有する
請求項１に記載のホースリール。
【請求項３】
前記ドラムは、前記鍔部と前記移動規制部とによって前記開口部を挟むことにより、回転自在に備えられる
請求項１または２に記載のホースリール。
【請求項４】
前記収容部材は、前記開口部の外面周縁に渡って凸部を有する
請求項１から３のいずれかに記載のホースリール。
【請求項５】
前記移動規制部は、前記凸部と接する箇所に当接部を有する
請求項４に記載のホースリール。
【請求項６】
前記凸部は、前記当接部に対して略平行な面を有さないように構成されている
請求項５に記載のホースリール。
【請求項７】
前記移動規制部は、外面に対して略垂直方向に突出するように延出したハンドルを有する
請求項１から６のいずれかに記載のホースリール。
【発明の詳細な説明】
【技術分野】
【０００１】
本発明は、ホースリールに関する。
【背景技術】
【０００２】
従来から、散水用のホースを巻き取るためにホースリールが用いられている。このホースリールは、例えば、ホースを巻き取るドラムと、ドラムを回転自在に支持するフレームとによって構成されている。フレームは、対向して設けられた側板を備え、その両側板は離間して連結されている。この側板の一方からは蛇口側ホースを接続する接続プラグが延出されており、他方からは、ドラムを回転操作するハンドルが延出されている。
【０００３】
これにより、このハンドルを回転操作することによって、ホースをドラムに巻き取って保持できるように構成されている（特許文献１）。
【先行技術文献】
【特許文献】
【０００４】
【特許文献１】実用新案登録第３１７３８７３号公報
【発明の概要】
【発明が解決しようとする課題】
【０００５】
ホースリールを構成するドラムは、略円筒状の筒部と、筒部の両端に設けられた鍔部とから構成されている。ドラムは、筒部内部に、フレームの一端側の側板から延出された接続プラグが挿入されることによって支持される。
【０００６】
しかし、ドラムは、一端側の側板でのみ支持されているため、使用時において、もう一端側の鍔部に取り付けられたハンドルを回転してホースを巻き取る際に力が加わると、ドラムの筒部や鍔部に撓みが生じ、巻き取りが不安定になるといった問題があった。また、巻き取り量を増やすため、筒部を長く設定すると、支持されていない側のドラム筒部や鍔部が自重によって下方に傾くため、巻き取り量には限界があった。
【０００７】
本発明はこのような問題点に鑑みなされたものであり、ドラムを確実にフレームに支持させ、使用時において巻き取りが不安定にならないホースリールを提供することを目的とする。
【課題を解決するための手段】
【０００８】
本発明の請求項１の発明にあっては、ホースが巻き付けられる筒状のドラムと、ドラムを回転自在に収容する収容部材と、ドラムに収容部材を介して対向し、ドラムの動きを規制する移動規制部とを備えることを特徴とする。
【０００９】
また、請求項２の発明にあっては、請求項１の発明において、ドラムは、少なくとも一端側に鍔部を有し、収容部材は鍔部の面積より開口面積の小さい開口部を有することを特徴とする。
【００１０】
また、請求項３の発明にあっては、請求項１または２の発明において、ドラムは、鍔部と移動規制部とによって開口部を挟むことにより、回転自在に備えられることを特徴とする。
【００１１】
また、請求項４の発明にあっては、請求項１から３の発明において、前記収容部材は、前記開口部の外面周縁に渡って凸部を有することを特徴とする。
【００１２】
また、請求項５の発明にあっては、請求項４の発明において、前記移動規制部は、前記凸部と接する箇所に当接部を有することを特徴とする。
【００１３】
また、請求項６の発明にあっては、請求項５の発明において、凸部は、当接部に対して平行な面を有さないように構成されていることを特徴とする。
【００１４】
また、請求項７の発明にあっては、請求項１から６の発明において、前記移動規制部は、外面に対して略垂直方向に突出するように延出したハンドルを有することを特徴とする。
【発明の効果】
【００１５】
本発明によれば、ドラムを確実にフレームに支持させることができ、使用時において巻き取りが不安定にならない。なお、ここに記載された効果は必ずしも限定されるものではなく、明細書中に記載されたいずれかの効果であってもよい。
【図面の簡単な説明】
【００１６】
【図１】図１Ａは、本発明の実施の形態に係るホースリールの正面右側の外観斜視図であり、図１Ｂは、ホースリールの背面側の外観斜視図である。
【図２】図２Ａは、ホースリールの正面左側の外観斜視図であり、図２Ｂはホースリールの底面側の外観斜視図である。
【図３】図３Ａは、ホースリールの正面図であり、図３Ｂは、ホースリールの第１側面部側の側面図であり、図３Ｃは、ホースリールの第２側面部側の側面図である。図３Ｄは、ホースリールの上面図であり、図３Ｅは、ホースリールの底面図であり、図３Ｆは、ホースリールの背面図である。
【図４】図４Ａは、ホースリールの底面の蓋体を取り外した状態を示す外観斜視図であり、図４Ｂは、本体ケースの第２側面部側の内面を示す図であり、図４Ｃは、本体ケースの第１側面部側の内面を示す図である。
【図５】図５Ａは、ホースリールを構成する本体ケースの第２側面部側の内面を示す斜視図であり、図５Ｂは、ホースリールを構成する本体ケースの第１側面部側の内面を示す斜視図である。
【図６】図６Ａおよび図６Ｂは、ドラムとハンドルの分解状態を示す斜視図である。
【図７】図７Ａ、図７Ｂおよび図７Ｃは、ドラムの構成を示す外観斜視図である。
【図８】図８Ａは、ドラムから散水用ホースが導出されている状態を示す斜視図であり、図８Ｂは、ドラムに散水用ホースが巻き付けられている状態を示す斜視図である。
【図９】図９Ａは、本体ケースの断面斜視図であり、図９Ｂは、図９Ａにおいて破線で囲まれた部分の拡大図であり、図９Ｃは、擬似面の構成を示す図であり、図９Ｄは、擬似面と散水用ホースが接触している状態を示す図である。
【図１０】図１０Ａは、本体ケースの第１側面部側の内面図であり、図１０Ｂは、本体ケース内にドラムが設けられている状態における第１側面部側の内面図である。
【図１１】図１１Ａおよび図１１Ｂはホースリールの分解状態を示す斜視図である。
【図１２】図１２Ａは、ホースリールの正面断面図であり、図１２Ｂは、図１２Ａにおいて破線で囲まれた部分の拡大図である。
【図１３】図１３Ａは、ホースリールの正面左側の外観斜視図であり、図１３Ｂは、図１３Ａにおいて破線で囲まれた部分の拡大図である。
【発明を実施するための形態】
【００１７】
以下、本発明の実施の形態について図面を参照しながら説明する。ただし、本発明は以下の実施例のみに限定されるものではない。なお、説明は以下の順序で行う。
＜１．実施の形態＞
＜２．変形例＞
【００１８】
＜１．実施の形態＞
ホースリール１０は、本体ケース１００と、本体ケース１００内に回転可能に設けられたドラム２００とから構成されている。ホースリール１０は、散水用ホースをドラム２００の回転により巻き取って内部に収容するものである。ホースリール１０は、特許請求の範囲における収容部材に相当するものである。本体ケース１００は、正面部１１０、第１側面部１２０、第２側面部１３０、上面部１４０、背面部１５０および底面部１６０とから略箱状に構成されている。正面部１１０は中央が膨らんだ湾曲面状に形成されている。また、第１側面部１２０、第２側面部１３０、背面部１５０、背面部１５０は平板状に形成されている。ただし、正面部１１０も平板状に構成されていてもよい。本体ケース１００は、例えば、プラスチックなどの合成樹脂により構成されている。この本体ケース１００内でドラム２００が回転することにより、散水用ホースが本体ケース１００内に巻き取られる。なお、本明細書内において前後は正面部および背面部、左右は第１側面部および第２側面部、上下は平面部および底面部を表す。
【００１９】
本体ケース１００の正面部１１０には、穴状のホース出し入れ窓１１１が形成されている。ホースリール１０内でドラム２００に巻き取られている散水用ホースは、使用者により外から牽引されると、このホース出し入れ窓１１１を通じて本体ケース１００外に引き出される。一方、外に引き出されている散水用ホースは、ホース出し入れ窓１１１を通じて本体ケース１００内に入り、ドラム２００に巻き取られる。
【００２０】
ホース出し入れ窓１１１の上部開口縁は、散水用ホースが引き出される際および巻き取られる際に、散水用ホースをドラム２００の幅方向における略中心へ案内する上方案内部１１２を構成している。上方案内部１１２は、中央部が上方へ向けて突出したアーチ状に形成されている。
【００２１】
第１側面部１２０には、ドラム２００を回転させて散水用ホースＨを巻き取るためのハンドル３００が露出する略円形の開口部１２１が形成されている。開口部１２１の直径は、後述するドラム２００を構成する円盤状の鍔部２２０の直径よりも小さく構成されている。すなわち、開口部１２１の開口面積は、鍔部２２０の面積よりも小さく構成される。これによって、ドラム２００は、開口部１２１から本体ケース外に出ることなく、本体ケース内に収容される。この構成によれば、第１側面部１２０が開口部１２１という形で開口しているため、鍔部２２０と本体ケース１００の第１側面部１２０が二重構造になることを防ぎ、その結果原材料費等の削減に繋がる。
【００２２】
図２Ａに示されるように、第２側面部１３０には、円筒状の接続プラグ１３１が設けられている。接続プラグ１３１の一端側（外に露出する側）には、水道の蛇口に接続されている給水用ホース（図示せず。）が接続される。また、図５Ａに示されるように、接続プラグ１３１の他端側（本体ケース１００の内部側）には、接続プラグ１３１よりも小径である円筒状のパイプ部１３２の一端が接続されている。そして、パイプ部１３２の他端には、ドラム２００に巻かれ、ドラム２００を構成する筒部２１０内を挿通する散水用ホースの一端が接続される。これにより、蛇口からの水は、給水用ホースから接続プラグ１３１を介してパイプ部１３２へ供給され、さらにパイプ部１３２を介してドラム２００に巻かれた散水用ホースに供給されることになる。
【００２３】
上面部１４０は、他のホースリール１０を積載できる大きさに設定されており、積載部として機能するものである。上面部１４０上には、上方に向けて盛り上がった凸状の嵌合部１４１が設けられている。本実施の形態においては、上面部１４０の前方および左右の端が略Ｕ字状にへこんでいることにより内側に凸状の嵌合部１４１が形成されている。
【００２４】
この嵌合部１４１は、上面部１４０上に他のホースリール１０を載置した際に、その他のホースリール１０の底面に設けられた嵌合受け部１６１に嵌るようになっている。これにより、安定した状態でホースリール１０同士を積み上げることが可能となる。安定した状態で、ホースリール１０を積み上げることができることにより、１段に限られず２段、３段と多段的にホースリール１０を積み上げることも可能である。これにより、ホースリール１０の販売時においては、少ないスペースでより多くのホースリール１０を陳列することができ、販売促進も期待することができる。
【００２５】
上面部１４０の後端から背面部１５０の上端にかけて取手部１５１が設けられている。取手部１５１は、使用者が手でホースリール１０を容易に持ち運ぶことを可能にするものである。取手部１５１は、手挿入部１５２と、指かけ部１５３とから構成されている。図４Ｂおよび図４Ｃに示されるように、手挿入部１５２は、本体ケース１００の上面部１４０後方から背面部１５０上方にかけて開口し、本体ケース１００内部にくぼむように形成されている。指かけ部１５３は、手挿入部１５２内において、上面部１４０の裏面から下方に向けて突出するように設けられた突起である。使用者は、手挿入部１５２に手を入れて、指かけ部１５３に指を引っ掛けることにより、容易にホースリール１０を持ち上げることができる。このように取手部１５１を構成することにより、別部材として構成された取手を本体ケース１００に取り付ける必要が無い。これにより、ホースリール１０の製造工程の簡略化、部品点数の削減、製造コスト削減などを図ることができる。
【００２６】
底面部１６０には、本体ケース１００の内部方向に向かってくぼんだ嵌合受け部１６１が形成されている。嵌合受け部１６１の形状は、本体ケース１００の上面部１４０に設けられた嵌合部１４１と嵌合するように構成されている。ホースリール１０を他のホースリール１０上に積載した場合に、下に位置するホースリール１０の上面部１４０に形成された嵌合部１４１が上に位置するホースリール１０の嵌合受け部１６１に嵌め込まれることになる。このように、嵌合部１４１と嵌合受け部１６１とが嵌ることにより、安定した状態でホースリール１０を積み上げることが可能となる。ただし、嵌合部１４１および嵌合受け部１６１の形状はこれに限られるものではなく、本体ケース１００の上面部１４０と底面部１６０とが嵌合して、安定してホースリール１０を積み上げることができる形状であればどのようなものでもよい。
【００２７】
図４Ａに示されるように、底面部１６０は取り外し可能な蓋体１６２として構成されている。その蓋体１６２を取り外すことにより、本体ケース１００は底面が開口可能に構成されている。本体ケース１００の底面部１６０を蓋体１６２として構成して底面部１６０を開口可能にすることにより、開口した底面部１６０から本体ケース１００内にホースリール１０の付属品（図示せず。）を容易に入れることが可能となる。
【００２８】
これにより、本体ケース１００内におけるホース出し入れ窓１１１から人が目視で確認できる位置にホースリール１０の付属品を位置させることが容易となる。この、付属品の本体ケース１００内への入れやすさを実現するためには、底面部１６０の開口具合をなるべく大きくする必要がある。よって、蓋体１６２を取り外した場合における底面部１６０の開口具合が大きくなるように、例えば、蓋体１６２の大きさは底面部１６０の略全面と同等にするとよい。
【００２９】
本体ケース１００の内部における、ホース出し入れ窓１１１から目視で確認できる位置に付属品を配置することにより、購入者は付属品の有無をひと目で確認することができる。これにより、販売時において、シールや張り紙などを用いて本体ケース１００内に付属品が収納済みである旨の表示を行う必要がなくなる。よって、コストの削減を図ることもできる。また、購入者も付属品の有無を心配せずに安心して購入することができる。
【００３０】
なお、付属品が複数ある場合、１つである場合のどちらの場合であっても、付属品を１つの袋に入れた状態で本体ケース１００内に収納するとよい。付属品を袋に入れて本体ケース１００内に収納することにより、付属品と本体ケース１００とが直接接触して付属品および本体ケース１００に傷などがつくことを防止することができる。ホースリール１０の付属品としては、蛇口とホースの接続に用いるコネクタ、散水用ホースの先端に接続して水をシャワー状に噴射するシャワーヘッド、ホースを接続するジョイントなどがある。
【００３１】
次に、ドラム２００の構成について説明する。図６に示されるように、ドラム２００は、筒状に形成され、湾曲した外周面２１１を備える筒部２１０と、その筒部２１０の長手方向両端に設けられた円盤状の一対の鍔部２２０、２２０と、一方の鍔部２２０の外面に取り付けられるカバー部材２２１と、一方の鍔部２２０の外面に対して略垂直方向に突出するように固定され、ハンドル３００が取り付けられる軸状の取付軸２２２とから構成されている。なお、カバー部材２２１には、取付軸挿通穴２２４が形成されており、取付軸２２２が取付軸挿通穴２２４に挿通した状態で鍔部２２０にカバー部材２２１が取り付けられている。散水用ホースＨは、図８Ｂに示されるように、筒部２１０に巻き付けられた状態でホースリール１０内に収納される。
【００３２】
筒部２１０の内部は、散水用ホースＨが挿通可能なように空洞状に形成されている。筒部２１０の両端側は、開口した状態となっており開口部２１２として構成されている。筒部２１０の一端側（カバー部材２２１が設けられていない側）の開口部２１２に、本体ケース１００の第２側面部１３０に設けられた接続プラグ１３１の他端が挿入されることにより、筒部２１０と接続プラグ１３１とが接続される。これにより、ドラム２００が本体ケース１００内で回転可能に支持されることになる。
【００３３】
使用者によりハンドル３００が回転操作されると、ドラム２００は接続プラグ１３１に支持された筒部２１０を回転軸として回転する。なお、ドラム２００が回転可能となるために、筒部２１０の開口部２１２の径は接続プラグ１３１の径に比べて若干大きくし、あそびを持つように構成されている。
【００３４】
また、接続プラグ１３１に接続されたパイプ部１３２の他端側と散水用ホースＨの一端とが筒部２１０内で接続される。これにより、蛇口からの水は、給水用ホースから接続プラグ１３１を介してパイプ部１３２へ供給され、さらにパイプ部１３２を介してドラム２００に巻かれた散水用ホースＨに供給されることになる。
【００３５】
筒部２１０の外周面２１１には、筒部２１０内に挿通している散水用ホースＨの他端側（パイプ部１３２に接続されていない側）を筒部２１０外に導出させるためのホース導出口２１３が形成されている。ホース導出口２１３は、筒部２１０の長手方向に伸びる横長の穴として構成されている。また、ホース導出口２１３は長手方向の一端側から他端側にかけて、図７Ａ中の矢印Ｒに示されるホースの巻き取り方向（ドラム２００の回転方向）とは逆側の方向にわずかに湾曲するように構成されている。なお、ホース導出口２１３の一端側を筒部２１０の挿入プラグ１３１の他端が挿入される側とし、他端側はその逆側であるハンドル３００が設けられている側とする。
【００３６】
さらに、筒部２１０の外周面２１１には、散水用ホースＨの折れを防止するための折れ防止部２１４が設けられている。折れ防止部２１４は、筒部２１０の外周面２１１から起立する横長の突起として構成されている。折れ防止部２１４は筒部２１０の外周面２１１から起立し、散水用ホースＨに接触する接触部２１５と、その接触部２１５を支持する３本の突起状の支持部２１６により構成されている。折れ防止部２１４は、ホース導出口２１３から導出された散水用ホースＨに接触することにより、散水用ホースＨが筒部２１０に巻き付けられる際の巻き始めの位置において鋭角に折れ曲がることを防止するものである。
【００３７】
折れ防止部２１４は、長手方向の一端側から他端側にかけて、図７Ａ中の矢印Ｒに示されるホースの巻取り方向（ドラム２００の回転方向）とは逆側に向けてゆるやかに湾曲するように構成されている。折れ防止部２１４の一端側は筒部２１０の挿入プラグ１３１の他端が挿入される側とし、他端側はその逆側であるハンドル３００が設けられている側とする。折れ防止部２１４は、散水用ホースＨの巻取り方向とは逆側のホース導出口２１３の縁から起立するように設けられている。
【００３８】
なお、接触した散水用ホースＨが折れ防止部２１４から外れてしまわないように、折れ防止部２１４の接触部２１５の散水用ホースＨとの接触する側の面は、散水用ホースＨの形状に合わせた湾曲面状に構成されている。
【００３９】
なお、本実施の形態においては、折れ防止部２１４は、散水用ホースＨに接触する接触部２１５と、その接触部２１５を支持する３本の突起状の支持部２１６により構成されている。ただし、折れ防止部２１４の構成はこれに限られるものではない。散水用ホースＨに接触することにより、散水用ホースＨが折れることを防止できればどのような構成であってもよい。
【００４０】
ハンドル３００は、後述する移動規制部３１０と移動規制部３１０から略垂直方向に突出するように形成された把持部３２０とから構成され、ドラム２００の取付軸２２２に取り付けられる。使用者がハンドル３００を手で掴み、鍔部２２０の形状に沿うように回転させることによって、ドラム２００は筒部２１０を回転軸として回転する。ドラム２００を回転させることにより散水用ホースＨを巻き取ることができる。なお、ハンドル３００が回転可能となるように、ハンドル３００は、例えば内面が取付軸２２２に対して摺動可能に取り付けられるとよい。または、ハンドル３００が取付軸２２２に対して摺動可能でなくても、取付軸２２２がカバー部材２２１に対して回転可能に設けられていればよい。
【００４１】
本体ケース１００の説明に戻る。図９Ａは本体ケース１００の断面斜視図であり、図９Ｂは図９Ａにおいて破線で囲まれた部分の拡大図である。図９Ｃは、環状突起部１１３とホース出し入れ窓１１１の縁１１４とにより構成される擬似面１１５を示す図であり、図９Ｄは、擬似面１１５と散水用ホースＨとが接触している状態を示す図である。
【００４２】
本体ケース１００の正面部１１０側の内側には、ホース出し入れ窓１１１のほぼ全周に対応するように環状突起部１１３が設けられている。環状突起部１１３はホース出し入れ窓１１１の開口形状と略同一の形状である環状に構成され、かつ、中心に向けて突出した環状の突起である。環状突起部１１３の突出量は、ホース出し入れ窓１１１の縁１１４と略同等にするとよい。環状突起部１１３とホース出し入れ窓１１１の縁１１４とが組み合わされることにより、図９Ｃに示されるように、擬似的な面（以下、その面を擬似面１１５と称する。）が構成される。環状突起部１１３と縁１１４は、擬似面１１５が散水用ホースＨが巻き取られる方向と略平行な面となるように構成するとよい。
【００４３】
ドラム２００を回転させて散水用ホースＨを本体ケース１００内に引き込む際に、環状突起部１１３と縁１１４に散水用ホースＨが接触すると、図９Ｄに示されるように、擬似面１１５が散水用ホースＨを巻き取り方向に案内することとなる。これにより、散水用ホースＨはドラム２００にきれいに巻き取られることになる。
【００４４】
図１０Ａおよび図１０Ｂに示されるように、本体ケース１００の第１側面部１２０には、ドラム２００を回転させるハンドル３００が露出するための略円形の開口部１２１が形成されている。そして、第１側面部１２０の内面には、開口部１２１を囲うように複数の突起状のドラム支持部１２２、１２２、・・・が設けられている。
【００４５】
ドラム支持部１２２は、図１０Ｂに示されるように、ドラム２００を構成する鍔部２２０を周囲から囲い、鍔部２２０の位置を規制することによりドラム２００を支持するものである。散水用ホースＨの引き出し時および巻取り時にドラム２００にかかる力によりドラム２００が大きく動こうとしても、鍔部２２０がドラム支持部１２２に接触し、鍔部２２０はドラム支持部１２２に囲まれる範囲外には動くことができない。これにより、ドラム２００は、本体ケース１００内において大きく動くことはなく、特に、上下方向の動きと、前後方向の動きが規制された状態で支持されることになる。
【００４６】
図１０Ａ、図１０Ｂにおいては、ドラム支持部１２２は開口部１２１を囲うように７つ設けられているが、その数は７つに限られない。ただし、ドラム支持部１２２は、開口部１２１のほぼ全周、もしくは少なくとも左右および下方に対応する位置に設けるとよい。散水用ホースＨを巻き取る場合および散水用ホースＨを引き出す場合、ドラム２００には様々な方向から力がかかる。例えば、開口部１２１の下方、右斜め下および左斜め下に対応する位置にのみドラム支持部１２２が設けられている場合を考える。
【００４７】
使用者により散水用ホースＨが引き出されると、ドラム２００も引っ張られることになる。ドラム支持部１２２が設けられていない左右方向または上方向にドラム２００が引っ張られると、鍔部２２０の位置を規制するものがないため、ドラム２００が大きく動いてしまい、故障してしまうおそれなどがある。よって、ドラム２００を安定した状態で保持するためには、ドラム支持部１２２は、開口部１２１のほぼ全周を囲うように設けることが望ましい。または、散水用ホースＨが引き出される際、ドラム２００には主に前後方向に引っ張る力がかかるため、ドラム支持部１２２は、少なくとも左右および下方に対応する位置に設けるとよい。
【００４８】
なお、本実施の形態においては、ドラム２００の一端側は、筒部２１０の開口部２１２に第２側面部１３０側にあるパイプ部１３２が挿入されることにより支持されている。よって、ドラム支持部１２２は、第１側面部１２０側にのみ設けられている。ただし、ドラム支持部１２２は、第１側面部１２０側だけでなく、第２側面部１３０の内面に設けてもよい。これにより、より安定した状態でドラム２００の位置を保持することができる。
【００４９】
図１１Ａおよび図１１Ｂは、ホースリール１０の分解状態を示す斜視図である。図１１Ａおよび図１１Ｂに示されるように、本体ケース１００は、右側本体部４００、左側本体部５００および蓋体１６２とから構成されている。ホースリール１０を組み立てるには、まず、ドラム２００の筒部２１０の一端側の開口部２１２に左側本体部５００に設けられた接続プラグ１３１を挿入する。次に、ドラム２００の鍔部２２０を右側本体部４００のドラム支持部１２２に囲まれる範囲内に位置させた状態で、右側本体部４００と左側本体部５００とを嵌め合わせる。次に、ハンドル３００をドラム２００の取付軸２２２に嵌め合わせる。最後に、本体ケース１００の底面側に蓋体１６２を取り付ける。
【００５０】
図１２に示すように、ハンドル３００は、取付軸２２２に設けられた係止受け部２２３に、把持部３２０に設けられた係止部３２１が嵌合することによって固定される。また、ハンドル３００は、取付軸２２０が本体ケース１００の第１側面部１２０の開口部１２１の周縁近傍に備えられることによって、移動規制部３１０が開口部の縁にかかるよう取り付けられる。
【００５１】
ドラム２００の鍔部２２０は、本体ケース１００の第１側面部１２０の開口部１２１を介して対向する位置に設けられた移動規制部３１０によって本体ケース１００に固定される。すなわち、ドラム２００が、鍔部２２０と移動規制部３１０とによって第１側面部１２０を挟み込むようにして固定されるため、ドラムが左右方向に動くことが規制された状態になる。これにより、筒部２１０の一端側が自重によって下方に撓むことや、鍔部２２０がホース巻き取り時、ハンドル３００に掛かる力によって撓むことを防止できる。また、鍔部２２０がドラム支持部１２２を超えて、ドラム２００が本体ケース１００内で脱落することを防止できる。
【００５２】
移動規制部３１０は、本実施形態においては略垂直方向に突出するように形成された把持部３２０を備え、使用者がホースを巻き取る際に使用するハンドル３００を形成している。ただし、ドラム２００の鍔部２２０に本体ケース１００の第１側面部１２０の開口部１２１を介して対向する位置に移動規制部３１０が設けられていればよく、把持部３２０及びハンドル３００は別途、他の位置に設けても良い。この場合、ハンドル３００は直接カバー部材２２１に対して回転可能に取り付けられていてもよい。その場合、カバー部材２２１に取付軸２２２を設け、その取付軸２２２にハンドル３００を取り付けるという構成はとらなくてもよい。
【００５３】
図１２および図１３に示すように、第１側面部１２０の開口部１２１近傍の外面には、開口部１２１円周に沿って輪状の凸部１２３が形成されている。凸部１２３は、移動規制部３１０に設けられた当接部３１１が接するように設けられている。使用者がハンドル３００を操作してドラム２００を回転させると、当接部３１１は、凸部１２３に当接し、凸部１２３上を摺動することになる。凸部１２３は、頂点に向かって、当接部３１１に対して略平行な平面を有さないように形成され、例えば、三角形状であることが望ましい。または、凸部１２３は、頂点に向かって、当接部３１１に対して略平行な平面を有さない湾曲面状に形成されていてもよい。これにより、本体ケース１００の第１側面部１２０の平面と当接部３１１が当接する構造よりもスムーズな摺動が可能となる。
【００５４】
以上のようにして、本発明に係るホースリール１０が構成されている。次にこのホースリール１０における散水用ホースＨの収納について説明する。使用者はホースリール１０を用いた散水が終了した後、ハンドル３００を回転させて、ドラム２００の筒部２１０に巻きつけることにより散水用ホースＨを本体ケース１００内に収納する。
【００５５】
ハンドル３００を回転させる際、ドラム２００は様々な方向から力を受け、上下前後左右に動く。上下方向、前後方向の動きに関しては、第１側面部１２０の内面に複数のドラム支持部１２２が設けられており、ドラム２００が大きく動こうとしても、鍔部２２０がドラム支持部１２２に接触するため、ドラム２００は、ドラム支持部１２２に囲まれる範囲外には動くことができない。また、左右方向の動きに関しては、ドラム２００の鍔部２２０が、第１側面部１２０の開口部１２１を介して対向する位置に設けられた移動規制部３１０によって本体ケース１００に固定され、ドラム２００が、鍔部２２０と移動規制部３１０とによって第１側面部１２０を挟み込むようにして固定されるため、ドラム２００は、左右方向に動くことができない。よって、例えば、鍔部２２０が内側に撓むことによってドラム支持部１２２を超えて、ドラム２００が内側に脱落することがない。
【００５６】
本体ケース１００内において、ホース導出口２１３から導出されている散水用ホースＨは、散水用ホースＨの巻き取り方向（ドラム２００の回転方向）とは逆方向に向けて折り曲がり、ドラム２００の筒部２１０に巻き付けられている。
【００５７】
通常、散水用ホースＨは製品出荷時にドラム２００の筒部２１０にきつく巻き付けられるため、ホース導出口２１３から出た散水用ホースＨは、ホース導出口２１３の縁において折れてから筒部２１０に巻き付けられている。折れてしまうと、散水用ホースＨには折れ癖がついてしまい、排水量が低下する、折れた位置が破損して水漏れが発生するなどの問題が生じる。そこで、本発明においては、ドラム２００の筒部２１０にホース導出口２１３および折れ防止部２１４が設けられている。図８Ａに示されるように、まず、ホース導出口２１３から導出された散水用ホースＨは、ホース導出口２１３の湾曲形状に沿ってホースの巻取り方向とは逆方向に向けてゆるやかに曲がることとなる。
【００５８】
そして、ホース導出口２１３から導出された散水用ホースＨは、折れ防止部２１４に接触する。この接触により、散水用ホースＨは、散水用ホースＨの巻取り方向（ドラム２００の回転方向）とは逆方向に湾曲した折れ防止部２１４の形状に沿って、散水用ホースＨの巻取り方向とは逆方向に向けてゆるやかに曲がることになる。そして、散水用ホースＨは折れ防止部２１４の形状にそってゆるやかに曲げられた後に筒部２１０に巻き付けられる。
【００５９】
これにより、ホース導出口２１３から導出された散水用ホースＨの巻き始めの位置が折れることがない。よって、散水用ホースＨに折れ癖がつくことや、散水用ホースＨの巻き始めの位置が破損してしまうことを防止することができる。
【００６０】
また、従来技術として、散水用ホースが折れることを防止するために散水用ホースの内部にスプリングを設ける手法が存在する。ただし、この手法にはスプリングにより散水用ホースが破損してしまうという問題がある。本発明では、スプリングを使用する必要はないため、スプリングにより散水用ホースが破損するおそれもない。
【００６１】
なお、一旦、散水用ホースＨを全て引き出した後に散水用ホースＨをドラム２００に巻き直すことにより、散水用ホースＨが折れ防止部２１４上に沿わずに乗り上げてしまうおそれがある。散水用ホースＨが折れ防止部２１４に乗り上げると、散水用ホースＨは折れ防止部２１４の縁を支点として折れて筒部２１０に巻き付くことになる。そうすると、散水用ホースＨが折れて、折れ癖が付く、巻き始めの位置が破損するなどのおそれがある。
【００６２】
そこで、折れ防止部２１４の高さを所定の高さよりも低く、例えば、散水用ホースＨの直径よりも低くすることにより、万が一、散水用ホースＨが折れ防止部２１４の上に乗り上げた場合でもホースが折れることを防止できる。折れ防止部２１４の高さを低くすることにより、折れ防止部２１４と筒部２１０の外周面２１１との落差が小さくなり、散水用ホースＨの折れる角度が小さくなるからである。折れ防止部２１４の高さは、例えば、散水用ホースＨの直径の約７割程度の高さであるが、その高さに限定されるものではない。
【００６３】
折れ防止部２１４の高さが低すぎると、散水用ホースＨが折れ防止部２１４に沿うことなく外れてしまい、散水用ホースＨをゆるやかに曲げることができなくなる。よって、折れ防止部２１４の高さは、散水用ホースＨが折れ防止部２１４に乗り上げた場合に折れることがないようになるべく低くしつつ、折れ防止部２１４からホースがはずれることがなく、散水用ホースＨを折れ防止部２１４の形状に添って曲げることができる高さであることが必要である。
【００６４】
また、使用後にドラム２００を回転させて散水用ホースＨを巻取ってホースリール１０に収納する場合、散水用ホースＨが筒部２１０の端、すなわち一対の鍔部２２０のうちの一方の側に集中することがある。しかし、本発明においては、散水用ホースＨの引き出しおよび巻き取りの移動径路上には、散水用ホースＨを案内する上方案内部１１２が設けられている。上方案内部１１２は中央部が上方へ向けて突出するアーチ状に形成されている。よって、上方案内部１１２の下部に形成される散水用ホースＨの通路の幅寸法は、上方へ向かうに従って小さくなるように設定されている。
【００６５】
このため、ドラム２００の筒部２１０の端に集中して巻き付けられた散水用ホースＨが所定の高さに達すると、散水用ホースＨは、上方へ向かうに従って幅寸法が小さくなるアーチ状の上方案内部１１２に沿って中心側へ案内されることとなる。これにより、散水用ホースＨはドラム２００の端に集中して巻き取られることはなく、散水用ホースＨが筒部２１０の端に集中して巻き取られることにより巻き乱れを防止することができる。これにより、散水用ホースＨの巻取り状態における外観品質を高めることができるとともに、重心の偏りを防止することができる。
【００６６】
さらに、本発明においては、本体ケース１００のホース出し入れ窓１１１の縁１１４と、本体ケース１００内部に設けられた環状突起部１１３とにより擬似面１１５が構成されている。引き出されている散水用ホースＨがドラム２００により巻き取られる際、散水用ホースＨが擬似面１１５に接触すると、散水用ホースＨは擬似面１１５と略平行の方向、すなわち、ドラム２００の筒部２１０の方向に案内される。これにより、巻き乱れを防止して散水用ホースＨの巻取り状態における外観品質を高めることができる。また、散水用ホースＨは自然にドラム２００の筒部２１０方向へ向けて巻き取られていくため、散水用ホースＨの巻取りを容易に行うことができる。
【００６７】
＜２．変形例＞
以上、本発明の実施の形態について具体的に説明したが、本発明は上述の実施の形態に限定されるものではなく、本発明の技術的思想に基づく各種の変形が可能である。いわゆるフルカバータイプのホースリールだけでなく、サイズが小さめであり手で持ちながら散水することが可能ないわゆる手持ちタイプのホースリール、ドラムが露出するいわゆるリール式タイプのホースリールにも適用することが可能である。
【符号の説明】
【００６８】
１０・・・・ホースリール
１００・・・本体ケース
１１０・・・正面部
１１１・・・ホース出し入れ窓
１１２・・・上方案内部
１１３・・・環状突起部
１１４・・・縁
１１５・・・擬似面
１２０・・・第１側面部
１２１・・・開口部
１２２・・・ドラム支持部
１２３・・・凸部
１３０・・・第２側面部
１３１・・・接続プラグ
１３２・・・パイプ部
１４０・・・上面部
１４１・・・嵌合部
１５０・・・背面部
１５１・・・取手部
１５２・・・手挿入部
１５３・・・指掛け部
１６０・・・底面部
１６１・・・嵌合受け部
１６２・・・蓋体
２００・・・ドラム
２１０・・・筒部
２１１・・・外周面
２１２・・・開口部
２１３・・・ホース導出口
２１４・・・折れ防止部
２１５・・・接触部
２１６・・・支持部
２２０・・・鍔部
２２１・・・カバー部材
２２２・・・回転軸
２２３・・・係止受け部
２２４・・・取付軸挿通穴
３００・・・ハンドル
３１０・・・移動規制部
３１１・・・当接部
３２０・・・把持部
３３０・・・係止部
４００・・・右側本体部
５００・・・左側本体部
Ｈ・・・・・散水用ホース
【図１】
2015168574.tif 000003
【図２】
2015168574.tif 000004
【図３】
2015168574.tif 000005
【図４】
2015168574.tif 000006
【図５】
2015168574.tif 000007
【図６】
2015168574.tif 000008
【図７】
2015168574.tif 000009
【図８】
2015168574.tif 000010
【図９】
2015168574.tif 000011
【図１０】
2015168574.tif 000012
【図１１】
2015168574.tif 000013
【図１２】
2015168574.tif 000014
【図１３】
2015168574.tif 000015